(57)【要約】【課題】リンクロッドを扱う際の作業性を向上させることができる背負式動力散布機を提供する。【解決手段】背負式動力散布機１００は、散布剤タンク７と送風機６とこれらの間に設けられるシャッタケース１０ａとを有する散布機本体８と、散布機本体８に取り付けられて、作業者によって背負われる背負枠１と、背負枠１と散布機本体８との間のスペースＳに配置されて、シャッタケース１０ａから突出する第１弁軸１１ａおよび第２弁軸１２ａに連結されたシャッタアーム１６と、スペースＳで上下方向に延び、作業者によって操作される操作レバー２１に下端部が連結されると共にシャッタアーム１６に上端部３４の先端３４ａが係止するリンクロッド３０と、リンクロッド３０に設けられて、スペースＳにおいて側方に延びるハンドル部４１と、を備える。【選択図】図３
2015181393.tif 000002
【特許請求の範囲】
【請求項１】
作業者によって背負われ、散布剤タンク（７）に貯留される散布剤が送風機（６）によって散布される背負式動力散布機において、
前記散布剤タンク（７）と、前記送風機（６）と、これらの間に設けられるシャッタケース（１０ａ）とを有する散布機本体（８）と、
前記散布機本体（８）に取り付けられて、前記作業者によって背負われる背負枠（１）と、
前記背負枠（１）と前記散布機本体（８）との間のスペース（Ｓ）に配置されて、前記シャッタケース（１０ａ）から突出する弁軸（１１ａ，１２ａ）に連結されたシャッタアーム（１６）と、
前記スペース（Ｓ）で上下方向に延び、前記作業者によって操作される操作レバー（２１）に下端部が連結されると共に前記シャッタアーム（１６）に上端部（３４）の先端（３４ａ）が係止するリンクロッド（３０）と、
前記リンクロッド（３０）に設けられて、前記スペース（Ｓ）において側方に延びるハンドル部（４１）と、
を備えることを特徴とする背負式動力散布機。
【請求項２】
前記ハンドル部（４１）に対し上下動可能に取り付けられて、前記先端（３４ａ）に係合することによって前記シャッタアーム（１６）に対する前記先端（３４ａ）の係止状態を保持するストッパ部（４５）を備える、請求項１に記載の背負式動力散布機。
【請求項３】
前記ハンドル部（４１）に対し揺動可能に取り付けられて、前記リンクロッド（３０）の前記先端（３４ａ）に向けて延びるストッパアーム（４３）を備え、
前記ストッパアーム（４３）の先端部には前記ストッパ部（４５）が設けられている、請求項２に記載の背負式動力散布機。
【請求項４】
前記ストッパ部（４５）と前記ハンドル部（４１）との間には、前記ストッパ部（４５）が前記先端（３４ａ）に係合する方向に前記ストッパ部（４５）を付勢するばね部材（４７）が設けられている、請求項２または３に記載の背負式動力散布機。
【請求項５】
前記ストッパ部（４５）は、前記リンクロッド（３０）の前記上端部（３４）に沿って前記ストッパ部（４５）が上下動するように、前記上端部（３４）が嵌り込むガイド凹部（４５ｅ）または前記上端部（３４）が挿通されるガイド孔部を有する、請求項２〜４のいずれか一項に記載の背負式動力散布機。
【発明の詳細な説明】
【技術分野】
【０００１】
本発明は、背負式動力散布機に関する。
【背景技術】
【０００２】
このような分野の技術として、特許文献１，２に記載された技術が知られている。特許文献１に記載された散布機では、送風機で発生する加圧空気によって、散布剤タンクに貯留された散布剤を吐出する。散布剤タンクと送風機との間には、バタフライ弁を有する調量部が設けられており、このバタフライ弁が開くことにより、散布剤タンクから散布剤が落下する。バタフライ弁の弁軸は、調量部のシャッタケースに取り付けられており、シャッタケースから突出している。弁軸の端部には、リンクレバーが固定されている。リンクレバーには、リンクロッドの上端部が係止されている。このリンクロッドは、操作部材としてのシャッタレバーに連結されている。操作者がシャッタレバーを操作することにより、リンクロッドを介してリンクレバーが揺動し、バタフライ弁の開度が変化する。リンクレバーには、複数の係止孔が設けられている。リンクロッドの上端部を係止させる係止孔を変更することにより、シャッタレバーの操作量に対するリンクレバーの揺動量が変化する。
【０００３】
特許文献２に記載された散布機には、調量弁の開度を調節する調量装置が設けられる。調量装置は、機体の左右方向に延びる調量アームと、上下方向に延びる操作ロッドとを有する。調量アームの基端には弁軸が固定され、調量アームの揺動端には、複数の調整穴が形成されている。操作ロッドの先端部が、調整穴に挿入される。この散布機においても、操作ロッドが操作されることにより、調整弁の開度が変化する。操作ロッドの先端部が挿入される調整穴を変更することにより、操作ロッドの操作量に対する調量アームの揺動量が変化する。この調量装置では、操作ロッドの先端部に、調量アームを挟持する挟持部材が設けられている。操作ロッドに固定された支持板と、挟持部材の挟持片部との間にスプリングが設けられており、このスプリングの付勢力によって、洗濯バサミのようにして調量アームが挟持される。挟持部材のつまみ部を押圧して挟持片部を開くことにより、操作ロッドの先端部が調量アームの調整穴から引き抜かれ得る。
【先行技術文献】
【特許文献】
【０００４】
【特許文献１】特開平８−２８７１３号公報
【特許文献２】特許第３５８７６２９号公報
【発明の概要】
【発明が解決しようとする課題】
【０００５】
散布機には、背負枠が設けられる。背負枠は、作業者に背負われて、作業者の背中に面する部材である。上記した従来の散布機では、リンクロッド（又は操作ロッド）は、背負枠とファンケースとの間の狭いスペースに配置される。この場合、リンクロッドの上端部（先端部）がリンクレバーに係止された状態でその係止状態を解除する、または、リンクロッドの上端部をリンクレバーに係止させる等の作業を行うためには、狭いスペースに手を入れる必要がある。しかも、リンクロッドとリンクレバーとの係止部分は、奥まったところに位置する。そのため、リンクロッドを扱う際の作業性が悪いといった問題がある。
【０００６】
本発明は、リンクロッドを扱う際の作業性を向上させることができる背負式動力散布機を提供することを目的とする。
【課題を解決するための手段】
【０００７】
本発明の背負式動力散布機は、作業者によって背負われ、散布剤タンク（７）に貯留される散布剤が送風機（６）によって散布される背負式動力散布機において、散布剤タンク（７）と、送風機（６）と、これらの間に設けられるシャッタケース（１０ａ）とを有する散布機本体（８）と、散布機本体（８）に取り付けられて、作業者によって背負われる背負枠（１）と、背負枠（１）と散布機本体（８）との間のスペース（Ｓ）に配置されて、シャッタケース（１０ａ）から突出する弁軸（１１ａ，１２ａ）に連結されたシャッタアーム（１６）と、スペース（Ｓ）で上下方向に延び、作業者によって操作される操作レバー（２１）に下端部が連結されると共にシャッタアーム（１６）に上端部（３４）の先端（３４ａ）が係止するリンクロッド（３０）と、リンクロッド（３０）に設けられて、スペース（Ｓ）において側方に延びるハンドル部（４１）と、を備えることを特徴とする。
【０００８】
この背負式動力散布機によれば、散布機本体（８）と背負枠（１）との間のスペース（Ｓ）には、シャッタアーム（１６）と、シャッタアーム（１６）に係止されるリンクロッド（３０）とが配置される。このリンクロッド（３０）の下端部は操作レバー（２１）に連結されており、上端部（３４）の先端（３４ａ）がシャッタアーム（１６）に係止される。作業者によって操作レバー（２１）が操作されると、リンクロッド（３０）とシャッタアーム（１６）を介して、弁軸（１１ａ，１２ａ）が回転させられる。これにより、シャッタケース（１０ａ）における弁の開度が変化させられる。リンクロッド（３０）には、散布機本体（８）と背負枠（１）との間のスペース（Ｓ）において側方に延びるハンドル部（４１）が設けられている。よって、リンクロッド（３０）が狭いスペース（Ｓ）に存在する場合でも、ハンドル部（４１）を持つことによって、リンクロッド（３０）を動かすことができる。その結果として、リンクロッド（３０）を扱う際の作業性が向上する。
【０００９】
背負式動力散布機は、ハンドル部（４１）に対し上下動可能に取り付けられて、先端（３４ａ）に係合することによってシャッタアーム（１６）に対する先端（３４ａ）の係止状態を保持するストッパ部（４５）を備える。この構成によれば、ストッパ部（４５）によって、シャッタアーム（１６）に対する先端（３４ａ）の係止状態が保持される。ストッパ部（４５）は、ハンドル部（４１）に対して上下動可能に取り付けられているため、たとえば、ハンドル部（４１）を持ちながらストッパ部（４５）を上下動させて、シャッタアーム（１６）に対する先端（３４ａ）の係止状態を解除することができる。このように、リンクロッド（３０）の上端部（３４）をシャッタアーム（１６）から取り外したい場合等に、作業性が向上する。
【００１０】
ハンドル部（４１）に対し揺動可能に取り付けられて、リンクロッド（３０）の先端（３４ａ）に向けて延びるストッパアーム（４３）を備え、ストッパアーム（４３）の先端部には上記のストッパ部（４５）が設けられている。この構成によれば、ハンドル部（４１）にストッパアーム（４３）が取り付けられ、そのストッパアーム（４３）の先端部にストッパ部（４５）が設けられる。ストッパアーム（４３）がハンドル部（４１）に対して揺動可能であるため、たとえば、ハンドル部（４１）を持ちながらストッパアーム（４３）を動かす（握る）ことにより、ストッパ部（４５）を上下動させることができる。よって、シャッタアーム（１６）に対する先端（３４ａ）の係止状態を一層容易に解除することができる。
【００１１】
ストッパ部（４５）とハンドル部（４１）との間には、ストッパ部（４５）が先端（３４ａ）に係合する方向にストッパ部（４５）を付勢するばね部材（４７）が設けられている。この構成によれば、ストッパ部（４５）はばね部材（４７）によって付勢されて、リンクロッド（３０）の先端（３４ａ）に係合する。これにより、通常時はリンクロッド（３０）の先端（３４ａ）がシャッタアーム（１６）に係止する係止状態を保持しつつ、係止状態を解除したい場合には、ばね部材（４７）の付勢力に抗してストッパ部（４５）を上方または下方に移動させるだけでよい。したがって、たとえば、作業者の片手のみによって係止状態を解除させることもできる。
【００１２】
ストッパ部（４５）は、リンクロッド（３０）の上端部（３４）に沿ってストッパ部（４５）が上下動するように、上端部（３４）が嵌り込むガイド凹部（４５ｅ）または上端部（３４）が挿通されるガイド孔部を有する。この構成によれば、ガイド凹部（４５ｅ）またはガイド孔部によって、ストッパ部（４５）がリンクロッド（３０）に沿うように案内される。よって、ストッパ部（４５）を安定して移動させることができる。
【発明の効果】
【００１３】
本発明によれば、散布機本体（８）と背負枠（１）との間のスペース（Ｓ）に配置されたリンクロッド（３０）を扱う際の作業性が向上する。
【図面の簡単な説明】
【００１４】
【図１】本発明の一実施形態に係る背負式動力作業機の側面図である。
【図２】操作レバーおよびリンクロッドのリンク機構を示す分解斜視図である。
【図３】調量部に設けられるストッパＡＳＳＹを示す正面図である。
【図４】図３の側面図である。
【図５】調量部およびストッパＡＳＳＹを斜め下方から見た斜視図である。
【図６】調量部およびストッパＡＳＳＹを示す斜視図である。
【図７】図５の分解斜視図である。
【図８】図３を拡大して示す正面図である。
【発明を実施するための形態】
【００１５】
以下、本発明の実施形態について、図面を参照しながら説明する。なお、図面の説明において同一要素には同一符号を付し、重複する説明は省略する。以下の説明において、上下、前後、左右の語は、背負式動力作業機を背負った作業者を基準とした方向を表すものとする。
【００１６】
図１に示されるように、背負式動力散布機１００は、作業者によって背負われ作業者の背中に面する背負部材である背負枠１と、背負枠１を背負うための一対の背負バンド２と、背負枠１の下端部から後方に延びた架台３と、背負枠１の前側に取り付けられ作業者の背中に当接する背当部材４と、を備えている。架台３の上には、たとえば内燃機５等の動力源により駆動される送風機６が搭載され、送風機６の上には、散布剤等を貯留する散布剤タンク７が搭載されている。背負枠１は、送風機６のファンケース６ａに取り付けられている。また、この背負式動力散布機１００は、送風機６により送り出された薬剤等を作業者が散布するための散布噴頭を備えている。なお、ここでは散布噴頭は取り外されている。
【００１７】
背負式動力散布機１００は、送風機６で発生する加圧空気によって散布剤を散布噴頭から吐出することにより、農地等に散布剤を散布する。散布剤は、たとえば紛体または粒体からなる。なお、散布剤が液体であってもよい。散布剤タンク７と送風機６との間には、散布剤の吐出流量を調整するための調量部１０が設けられている。
【００１８】
図１および図５に示されるように、調量部１０は、散布剤タンク７と送風機６との間に設けられたシャッタケース１０ａと、シャッタケース１０ａ内に配置された第１バタフライ弁１１および第２バタフライ弁１２とを有する。第１バタフライ弁１１は、第１弁軸１１ａによってシャッタケース１０ａに支持されている。第２バタフライ弁１２は、第２弁軸１２ａによってシャッタケース１０ａに支持されている。第１バタフライ弁１１および第２バタフライ弁１２は、第１弁軸１１ａおよび第２弁軸１２ａを中心にそれぞれ回動可能である。
【００１９】
図６に示されるように、第１弁軸１１ａおよび第２弁軸１２ａは、シャッタケース１０ａから前方に突出している。第１弁軸１１ａの突出した部分には第１ギヤ１３が固定されている。第２弁軸１２ａの突出した部分には第２ギヤ１４が固定されている。第１ギヤ１３には、左側側方に向けて延びるシャッタアーム１６が形成されている。第１ギヤ１３およびシャッタアーム１６は、一体的に形成されている。これらの第１ギヤ１３、第２ギヤ１４およびシャッタアーム１６は、たとえば樹脂製である。第１ギヤ１３およびシャッタアーム１６は、一体成形されてもよいし、個別に成形された後に接合されてもよい。
【００２０】
シャッタアーム１６は、第１弁軸１１ａの軸線方向に直交するように延在するアーム板部１６ａと、アーム板部１６ａに形成された複数の係止孔１６ｂとを有する。複数の係止孔１６ｂは、左右方向に並んでいる。複数の係止孔１６ｂのそれぞれは、アーム板部１６ａを前後方向に貫通している。いずれかの係止孔１６ｂに、リンクロッド３０（後述する）の先端３４ａが係止されることにより、シャッタアーム１６を介して、リンクロッド３０と第１弁軸１１ａとが連結される。また、リンクロッド３０の先端３４ａを係止させる係止孔１６ｂを変更することにより、操作レバー２１（後述する）の操作量に対するシャッタアーム１６の揺動量が変化する。
【００２１】
第１ギヤ１３の第１ギヤ歯１３ａと、第２ギヤ１４の第２ギヤ歯１４ａとは互いに噛み合う。第１ギヤ歯１３ａと第２ギヤ歯１４ａとが噛み合うことにより、第１ギヤ１３およびシャッタアーム１６を介して、リンクロッド３０と第２ギヤ１４とが連結される。すなわち、シャッタアーム１６にリンクロッド３０の先端３４ａが係止された状態でリンクロッド３０が上方に移動されると、シャッタアーム１６および第１ギヤ１３が一体となって第１弁軸１１ａを中心に回動し、第１ギヤ１３の回動に伴って第２ギヤ１４が第２弁軸１２ａを中心に回動する。
【００２２】
上記のようにして、調量部１０において、第１バタフライ弁１１および第２バタフライ弁１２の開度が調整される。なお、第２ギヤ１４は前後方向に進退可能になっており、第２ギヤ１４が後方に押し込まれることにより、第１ギヤ歯１３ａと第２ギヤ歯１４ａとの噛み合いは解除可能である。第１ギヤ歯１３ａと第２ギヤ歯１４ａとの噛み合いが解除された場合は、第１ギヤ１３のみがリンクロッド３０に連動して回動するので、第２バタフライ弁１２の開度は不変のまま、第１バタフライ弁１１の開度のみを変更できる。これにより、吐出流量の微調整が可能である。
【００２３】
次に、図１および図２を参照して、背負式動力散布機１００に設けられた操作部２０およびリンクロッド３０について説明する。操作部２０は、散布剤の吐出流量を調整するために、作業者によって操作される部分である。操作部２０は、ファンケース６ａの左下の端部から左前方に突出する操作レバー２１を有する。操作レバー２１は、作業者によって把持される把持部２１ａと、把持部２１ａに連結された第１棒状部２１ｂと、第１棒状部２１ｂに連設された第２棒状部２１ｃとを含む。
【００２４】
図２に示されるように、第２棒状部２１ｃは、略水平方向に延びている。第２棒状部２１ｃの途中の部分は、固定部材２３および取付ビス２４によって、ファンケース６ａに固定されている。より詳しくは、固定部材２３の取付板部２３ａが取付ビス２４によってファンケース６ａに取り付けられ、取付板部２３ａの下端に連設された断面Ｕ字状の軸受部２３ｂに、第２棒状部２１ｃが収容される。第２棒状部２１ｃは、軸受部２３ｂによって支持されて、第２棒状部２１ｃの軸線Ｌを中心に回動可能である。
【００２５】
第２棒状部２１ｃの先端２１ｄは、リンク部材２２の後端の孔部に挿入されて、リンク部材２２に固定されている。リンク部材２２の前端の孔部には、ボールジョイントの一方を構成するスタッドボルト２５の左端が挿入される。スタッドボルト２５の左端は、ナット２６によってリンク部材２２に係止される。スタッドボルト２５の右端に形成されたボール部２５ａは、ボールジョイントの他方を構成するソケット３１に嵌入されている。ソケット３１には、蝶ねじ３２を用いて、主ロッド部３３の下端が固定される。主ロッド部３３は、上下方向に延在しており、その軸線を中心に回転可能である。また、主ロッド部３３すなわちリンクロッド３０は、上下方向に配置されながらも、水平方向に延びる第２棒状部２１ｃおよびスタッドボルト２５に対して傾動可能である。
【００２６】
上記のようにして、リンクロッド３０は、上下方向に延びており、リンクロッド３０の下端部は操作レバー２１に連結され、上端部３４の先端３４ａはシャッタアーム１６に係止される。ファンケース６ａの左側部には、開度設定枠２７が固定されている（図１参照）。操作レバー２１の第１棒状部２１ｂは、作業者による操作に伴って上下に揺動可能であり、開度設定枠２７に形成された複数の係止凹部に係止される。操作レバー２１は、リンク部材２２と一体になって第２棒状部２１ｃの軸線Ｌを中心に回動可能であるため、開度設定枠２７のいずれかの係止凹部に第１棒状部２１ｂが係止されると、リンク部材２２の向き（すなわち軸線Ｌを中心に揺動するリンク部材２２の前端の高さ）が定まる。リンク部材２２の向きが定まると、主ロッド部３３すなわちリンクロッド３０の上下方向の位置が定まる。これにより、シャッタアーム１６の向き（すなわち第１弁軸１１ａを中心とするシャッタアーム１６の回動角度）が定まり、第１バタフライ弁１１および第２バタフライ弁１２の開度が定まる。
【００２７】
図１に示されるように、背負式動力散布機１００では、散布剤タンク７とシャッタケース１０ａと送風機６とを有してなる散布機本体８と、背負枠１との間に、一定のスペースＳが形成されている。このスペースＳは、左右方向および上下方向に延びている。散布機本体８（たとえば、ファンケース６ａまたはシャッタケース１０ａ）と背負枠１とは近接しているため、スペースＳの前後方向の長さは短くなっている。
【００２８】
上記した第１ギヤ１３、第２ギヤ１４、シャッタアーム１６およびリンクロッド３０は、前後方向に狭いスペースＳに配置されている。
【００２９】
次に、図３〜図７を参照して、リンクロッド３０の上部の構造について詳細に説明する。図３、図６および図７に示されるように、主ロッド部３３の上端には、前方から見て三角形状をなすストッパＡＳＳＹ４０が設けられている。ストッパＡＳＳＹ４０は、シャッタアーム１６に対するリンクロッド３０の先端３４ａの連結状態（係止状態）を保持・解除するために設けられる。
【００３０】
ストッパＡＳＳＹ４０には、リンクロッド３０の上端部３４が組み込まれている。より詳細に説明すると、主ロッド部３３の上端部である結合端部３３ａには、ハンドル部４１の筒状部４１ａが螺合等によって結合している。Ｌ字状の上端部３４は、この筒状部４１ａと一体的に形成されて、筒状部４１ａから上方に延びている。
【００３１】
図６および図７に示されるように、リンクロッド３０の上端部３４は、主ロッド部３３と一直線状に延在する起立棒状部３４ｄと、起立棒状部３４ｄの上端から前方に延びる係止棒状部３４ｃとを有する。係止棒状部３４ｃの先端３４ａには、円環状の係合溝３４ｂ（図２参照）が形成されている。このように、係止棒状部３４ｃは前後方向に延在しており、先端３４ａは、後方から前方に向けて、シャッタアーム１６の係止孔１６ｂに挿入され、係止される。
【００３２】
図３、図６および図７に示されるように、ストッパＡＳＳＹ４０は、リンクロッド３０の上端部３４と、リンクロッド３０から左側方（図３に示す右側）に延びるハンドル部４１と、ハンドル部４１の左端（すなわち先端）から上端部３４の先端３４ａに向けて延びるストッパアーム４３とを有する。
【００３３】
ハンドル部４１は、リンクロッド３０の上端部３４に設けられて、スペースＳにおいて側方に延びている。ハンドル部４１は、主ロッド部３３の上端部に結合された筒状部４１ａと、筒状部４１ａから左側方に延びる把持部４１ｂと、把持部４１ｂの先端（すなわち左側端部）に形成された軸部４１ｃとを有する。把持部４１ｂは、主ロッド部３３に対して、たとえば垂直に延びる。軸部４１ｃは、把持部４１ｂの先端から前方に突出する。把持部４１ｂは、スペースＳ内に収まってもよいし、その先端がスペースＳから側方に突出してもよい。
【００３４】
ストッパアーム４３は、軸部４１ｃに嵌合された基端部４３ｂと、基端部４３ｂから斜め右上に延びるアーム部４３ａとを有する。基端部４３ｂが軸部４１ｃに対して回動可能であることにより、ストッパアーム４３は、軸部４１ｃを中心に揺動する。アーム部４３ａの先端部には、ストッパ部４５が一体的に設けられている。ストッパ部４５は、シャッタアーム１６に対するリンクロッド３０の先端３４ａの連結状態（係止状態）を保持する。すなわち、ストッパ部４５は、シャッタアーム１６からリンクロッド３０の先端３４ａが脱落するのを防止する。
【００３５】
ハンドル部４１とストッパアーム４３とは、所定の角度をなしている。ハンドル部４１とストッパアーム４３の位置関係（すなわち離間距離）は、たとえば、大人の片手で握れる位置関係（すなわち離間距離）にある。
【００３６】
図６および図７に示されるように、ストッパ部４５は、アーム部４３ａの先端に連設されて上方に延びる係合板部４５ａと、係合板部４５ａの後面に連設されて後方に延びる平板部４５ｃと、平板部４５ｃの後端部から下方に突出するように形成された円筒状のガイド部４５ｄとを有する。係合板部４５ａは、前後方向に垂直な方向に延在しており、その上端には係合凹部４５ｂ（図８も参照）が形成されている。係合板部４５ａに係合凹部４５ｂが形成されることにより、係合板部４５ａは、シャッタアーム１６の係止孔１６ｂから前方に突出した先端３４ａの係合溝３４ｂに対して嵌合可能である。
【００３７】
ガイド部４５ｄには、左側方に向けて開放されたガイド凹部４５ｅが形成されている。ガイド凹部４５ｅはＵ字状に形成されており、その幅はリンクロッド３０の上端部３４の直径よりも大きい。ガイド凹部４５ｅには、上端部３４の起立棒状部３４ｄが嵌り込んでいる。これにより、ストッパ部４５の前後方向の移動が規制されている。ガイド部４５ｄには、下方に向けて開放された円柱状のばね収容部４５ｆが形成されている。ばね収容部４５ｆの直径はガイド凹部４５ｅの幅よりも大きい。言い換えれば、ガイド凹部４５ｅとばね収容部４５ｆとは連通しているが、それらの間には段差が形成されている。
【００３８】
ストッパ部４５のガイド部４５ｄと、ハンドル部４１の筒状部４１ａとの間には、圧縮コイルばねであるばね部材４７が設けられている。ばね部材４７には、リンクロッド３０の起立棒状部３４ｄが貫通している。ばね部材４７の上端は、ばね収容部４５ｆに収容されて段差に当接しており、ばね部材４７の下端は、筒状部４１ａの上面に当接している。このばね部材４７は、ストッパ部４５が先端３４ａに係合する方向、すなわち上方に、ストッパ部４５を付勢する。
【００３９】
以上の構成により、ストッパアーム４３は、軸部４１ｃを中心として上方に揺動するように付勢されている。ストッパアーム４３の先端部に設けられたストッパ部４５は、起立棒状部３４ｄに沿って上下動可能であり、上方に移動するように付勢されている。
【００４０】
上記のストッパＡＳＳＹ４０によれば、図８に示されるように、操作者が、ハンドル部４１の把持部４１ｂを把持しつつ、ストッパアーム４３のアーム部４３ａに親指をかけて、ハンドル部４１およびストッパアーム４３間の角度が小さくなる方向に握ることにより、ストッパアーム４３はばね部材４７の付勢力に抗して下方に揺動する。これに伴い、ストッパ部４５の係合凹部４５ｂがリンクロッド３０の先端３４ａから離脱し、先端３４ａは、係止孔１６ｂから後方に向けて引き抜き可能になる。なお、この作業は、作業者が背負式動力散布機１００を降ろした状態で行われる。
【００４１】
ここで、ストッパアーム４３が下方に揺動すると（すなわちストッパ部４５が円弧を描きながら下方に移動すると）、ガイド部４５ｄの下端が筒状部４１ａの上端に当接することにより、ストッパアーム４３は制止される。
【００４２】
言い換えれば、ストッパアーム４３は、係合板部４５ａが先端３４ａに係合する係合位置Ｐ１（図８において実線で示される）と、ストッパアーム４３が制止された制止位置Ｐ２（図８において仮想線で示される）との間で揺動可能である。制止位置Ｐ２では、ストッパ部４５はシャッタアーム１６の下端よりも下に位置している。さらに、ストッパＡＳＳＹ４０においては、リンクロッド３０の先端３４ａの挿抜方向と、ストッパ部４５の係止方向（ストッパアーム４３の揺動方向）とは異なっている。
【００４３】
以上説明した背負式動力散布機１００によれば、散布機本体８と背負枠１との間のスペースＳには、シャッタアーム１６と、シャッタアーム１６に係止されるリンクロッド３０とが配置される。このリンクロッド３０の下端部は操作レバー２１に連結されており、上端部３４の先端３４ａがシャッタアーム１６に係止される。作業者によって操作レバー２１が操作されると、リンクロッド３０とシャッタアーム１６を介して、第１弁軸１１ａが回転させられる。これにより、シャッタケース１０ａにおける第１バタフライ弁１１の開度が変化させられる。リンクロッド３０には、散布機本体８と背負枠１との間のスペースＳにおいて側方に延びるハンドル部４１が設けられている。よって、リンクロッド３０が狭いスペースＳに存在する場合でも、ハンドル部４１を持つことによって、リンクロッド３０を動かすことができる。その結果として、リンクロッド３０を扱う際の作業性が向上している。
【００４４】
たとえば、ハンドル部４１によって、リンクロッド３０の軸方向を中心とした回転角度を自在に調整できる。すなわち、リンクロッド３０にハンドル部４１を設けたことにより、リンクロッド３０の回転をハンドル部４１でコントロールすることができる。よって、先端３４ａをシャッタアーム１６の係止孔１６ｂに合わせやすい。
【００４５】
また、ストッパ部４５によって、シャッタアーム１６に対する先端３４ａの係止状態が保持される。ストッパ部４５は、ハンドル部４１に対して上下動可能に取り付けられているため、たとえば、ハンドル部４１を持ちながらストッパ部４５を上下動させて、シャッタアーム１６に対する先端３４ａの係止状態を解除することができる。このように、リンクロッド３０の上端部３４をシャッタアーム１６から取り外したい場合等に、作業性が向上する。しかも、リンクロッド３０の先端３４ａの挿抜方向と、ストッパ部４５の係止方向（ストッパアーム４３の揺動方向）とが異なっているので、先端３４ａの着脱が非常に容易である。
【００４６】
また、ハンドル部４１にストッパアーム４３が取り付けられ、そのストッパアーム４３の先端部にストッパ部４５が設けられる。ストッパアーム４３がハンドル部４１に対して揺動可能であるため、たとえば、ハンドル部４１を持ちながらストッパアーム４３を動かす（すなわち握る）ことにより、ストッパ部４５を上下動させることができる。よって、シャッタアーム１６に対する先端３４ａの係止状態を一層容易に解除することができる。
【００４７】
また、ストッパ部４５はばね部材４７によって付勢されて、リンクロッド３０の先端３４ａに係合する。これにより、通常時はリンクロッド３０の先端３４ａがシャッタアーム１６に係止する係止状態を保持しつつ、係止状態を解除したい場合には、ばね部材４７の付勢力に抗してストッパ部４５を下方に移動させるだけでよい。したがって、たとえば、作業者の片手のみによって係止状態を解除させることができる。しかも、スペースＳの深部に手を入れることなく、リンクロッド３０をシャッタアーム１６に着脱できる。
【００４８】
また、ガイド凹部４５ｅによって、ストッパ部４５がリンクロッド３０の起立棒状部３４ｄに沿うように案内されるため、ストッパ部４５を安定して移動させることができる。
【００４９】
さらには、ストッパＡＳＳＹ４０はリンクロッド３０に組み付けられているので、ハンドル部４１を介してリンクロッド３０をシャッタアーム１６から抜くことができる。
【００５０】
以上、本発明の実施形態について説明したが、本発明は上記実施形態に限られるものではない。たとえば、ストッパ部４５とハンドル部４１との間にばね部材４７が設けられる場合に限られず、ストッパアーム４３のアーム部４３ａとハンドル部４１との間にばね部材が設けられてもよい。ストッパ部４５を係合位置Ｐ１に向けて付勢するばね部材であれば、どの位置に設けられてもよい。
【００５１】
ストッパアーム４３は、ハンドル部４１に対して揺動する場合に限られず、ハンドル部４１から離間するように（たとえば平行に延在するように）設けられて、上下動してもよい。この場合、ストッパアーム４３とハンドル部４１との間にばね部材が設けられてもよい。
【００５２】
ストッパアーム４３が設けられる場合に限られず、リンクロッド３０に沿って上下動するストッパ部４５のみが設けられてもよい。ストッパ部４５において、ガイド凹部４５ｅが省略されてもよい。ストッパ部４５は、リンクロッド３０の起立棒状部３４ｄが挿通されるガイド孔部を有してもよい。ストッパアーム４３の先端にストッパ部４５が設けられる場合には、起立棒状部３４ｄの円弧状の動きを許容するように、起立棒状部３４ｄの直径に対してガイド孔部の直径を大きくし、ガイド孔部内に起立棒状部３４ｄを遊嵌させてもよい。ストッパアーム４３が設けられない場合には、起立棒状部３４ｄの直径に対してガイド孔部の直径を僅かに大きくし、ガイド孔部内で起立棒状部３４ｄの前後方向および左右方向の動きを規制してもよい。
【００５３】
シャッタアーム１６に対するリンクロッド３０の先端３４ａの係止状態は、係止孔１６ｂに挿入される場合に限られず、アーム板部１６ａに引っ掛かるような態様でもよい。
【符号の説明】
【００５４】
１…背負枠、６…送風機、７…散布剤タンク、８…散布機本体、１０ａ…シャッタケース、１１ａ…第１弁軸（弁軸）、１２ａ…第２弁軸（弁軸）、１６…シャッタアーム、２１…操作レバー、３０…リンクロッド、３４…上端部、３４ａ…先端、４０…ストッパＡＳＳＹ、４１…ハンドル部、４３…ストッパアーム、４５…ストッパ部、４５ｅ…ガイド凹部、４７…ばね部材、Ｓ…スペース。
【図１】
2015181393.tif 000003
【図２】
2015181393.tif 000004
【図３】
2015181393.tif 000005
【図４】
2015181393.tif 000006
【図５】
2015181393.tif 000007
【図６】
2015181393.tif 000008
【図７】
2015181393.tif 000009
【図８】
2015181393.tif 000010